(57)【特許請求の範囲】
【請求項１】
親展通信を指定して画情報を送信する発呼局側のファクシミリ装置と、ボックス毎にボックス番号が付与された親展ボックスを備え、発呼局から受信した画情報を発呼局が指定したボックス番号の親展ボックスに格納する被呼局側のファクシミリ装置とから構成されるファクシミリ通信システムにおいて、
上記発呼局は同一の画情報を上記被呼局内に備えられた複数の親展ボックスに送信する際に、画情報を送信する前に、上記複数の親展ボックスから送信する画情報を格納する親展ボックスのボックス番号を複数指定する信号を作成し、上記発呼局が通信中の上記被呼局が持つ親展ボックスを複数指定する信号を上記被呼局に送信し、その後上記画情報を１回上記被呼局に対して送信し、
上記被呼局は、上記発呼局から上記画情報を受信すると、該画情報に識別情報を付与すると共に、
上記親展ボックスを、上記指定されたボックス番号に対応させて上記識別情報を格納する第１の記憶部と、受信した上記画情報を上記識別情報別に格納する第２の記憶部とから構成し、
上記被呼局は、上記発呼局から送信された上記ボックス番号を複数指定する信号を受信すると該信号から上記指定されたボックス番号を認識し、上記発呼局から上記画情報を受信すると、該画情報に上記識別情報を付与し、該識別情報を複数の親展ボックスから該当するボックス番号に対応させて上記第１の記憶部に格納すると共に、上記識別情報を付与した画情報を上記識別情報毎に上記第２の記憶部に格納することを特徴とするファクシミリ通信システム。
【請求項２】
中継通信を指定して画情報を送信する発呼局側のファクシミリ装置と、ボックス毎にボックス番号が付与された中継ボックスを備え、発呼局から受信した画情報を発呼局が指定したボックス番号の中継ボックスに一旦格納した後、中継ボックスから画情報を読み出して転送先のファクシミリ装置に転送する中継局側のファクシミリ装置とから構成されるファクシミリ通信システムにおいて、
上記発呼局は、同一の画情報を被呼局内に備えられたの複数の中継ボックスに送信する際に、画情報を送信する前に、上記複数の中継ボックスから送信する画情報を格納する上記中継ボックスのボックス番号を複数指定する信号を作成し、上記発呼局が通信中の上記被呼局が持つ中継ボックスを複数指定する信号を中継局に送信し、その後画情報を１回中継局に対して送信し、
上記中継局は、上記発呼局から上記画情報を受信すると、該画情報に識別情報を付与すると共に、
上記中継ボックスを、上記指定されたボックス番号に対応させて上記識別情報を格納する第１の記憶部と、受信した上記画情報を上記識別情報別に格納する第２の記憶部とから構成し、
上記中継局は、上記発呼局から送信された上記ボックス番号を複数指定する信号を受信すると該信号から上記指定されたボックス番号を認識し、上記発呼局から上記画情報を受信すると、該画情報に上記識別情報を付与し、該識別情報を複数の中継ボックスから該当するボックス番号に対応させて上記第１の記憶部に格納すると共に、上記識別情報を付与した画情報を上記識別情報毎に上記第２の記憶部に格納することを特徴とするファクシミリ通信システム。
【請求項３】
親展通信あるいは中継通信を指定して画情報を送信する発呼局側のファクシミリ装置と、ボックス毎にボックス番号が付与された親展ボックス及び中継ボックスを備え、発呼局が親展通信を指定すると、発呼局から受信した画情報を発呼局が指定した親展ボックスに格納すると共に、発呼局が中継通信を指定すると、発呼局から受信した画情報を発呼局が指定した中継ボックスに一旦格納した後、中継ボックスから画情報を読み出して転送先のファクシミリ装置に転送する中継局側のファクシミリ装置とから構成されるファクシミリ通信システムにおいて、
上記発呼局は、同一の画情報を上記被呼局内に備えられた複数の親展ボックスあるいは複数の中継ボックスに送信する際に、画情報を送信する前に、上記複数の親展ボックスあるいは上記複数の中継ボックスから送信する画情報を格納する上記親展ボックスのボックス番号あるいは上記中継ボックスのボックス番号を複数指定する信号を作成して、上記発呼局が通信中の上記被呼局が持つ親展ボックスあるいは中継ボックスを複数指定する信号を上記中継局に送信し、その後上記画情報を１回上記中継局に対して送信し、
上記中継局は、上記発呼局から上記画情報を受信すると、該画情報に識別情報を付与すると共に、
上記親展ボックスあるいは上記中継ボックスを、上記指定されたボックス番号に対応させて上記識別情報を格納する第１の記憶部と、受信した上記画情報を上記識別情報別に格納する第２の記憶部とから構成し、
上記中継局は、上記発呼局から送信された上記ボックス番号を複数指定する信号を受信すると該信号から上記指定されたボックス番号を認識し、上記発呼局から上記画情報を受信すると、該画情報に上記識別情報を付与し、該識別情報を複数の親展ボックスあるいは複数の中継ボックスから該当するボックス番号に対応させて上記第１の記憶部に格納すると共に、上記識別情報を付与した画情報を上記識別情報毎に上記第２の記憶部に格納することを特徴とするファクシミリ通信システム。
【請求項４】
上記発呼局から上記被呼局あるいは上記中継局に送信される、画情報を格納させたいボックス番号を指定する信号は、勧告Ｔ．３０のＳＵＢ信号である請求項１又は２又は３記載のファクシミリ通信システム。
【請求項５】
発呼局側のファクシミリ装置から親展通信を指定して画情報を送信し、被呼局側のファクシミリ装置で発呼局から受信した画情報を発呼局が指定した親展ボックスに対応させて格納するファクシミリ通信制御方法において、
上記発呼局は画情報を上記被呼局内に備えられた複数の親展ボックスに送信する際に、上記複数の親展ボックスから送信する画情報を格納する親展ボックスを複数指定する信号を作成し、上記発呼局が通信中の上記被呼局が持つ親展ボックスを複数指定する信号を上記被呼局に送信し、
上記画情報を１回上記被呼局に対して送信し、
上記被呼局は、上記発呼局から送信された親展ボックスの複数指定の信号を受信すると、複数の親展ボックスから該当する親展ボックスに送信された画情報を各々記憶することを特徴とするファクシミリ通信制御方法。
【請求項６】
発呼局側のファクシミリ装置から中継通信を指定して画情報を送信し、中継局側のファクシミリ装置で発呼局から受信した画情報を発呼局が指定した中継ボックスに対応させて一旦格納し、中継ボックスから画情報を読み出して転送先のファクシミリ装置に転送するファクシミリ通信制御方法において、
上記発呼局は、画情報を上記被呼局内に備えられた複数の中継ボックスに送信する際に、上記複数の中継ボックスから送信する画情報を格納する上記中継ボックスのボックス番号を複数指定する信号を作成し、上記発呼局が通信中の上記被呼局が持つ中継ボックスを複数指定する信号を中継局に送信し、
上記画情報を１回中継局に対して送信し、
上記中継局は、上記発呼局から送信された画情報と、中継ボックスの複数指定の信号を受信すると、該当する複数の中継ボックスに対応させて送信された画情報を各々記憶することを特徴とするファクシミリ通信制御方法。
【請求項７】
画情報を送信するファクシミリ装置から親展通信あるいは中継通信を指定して画情報を送信し、画情報を受信するファクシミリ装置で画情報を送信するファクシミリ装置から親展通信を受信すると画情報を送信するファクシミリ装置が指定した親展ボックスに対応させて画情報を送信するファクシミリ装置から受信した画情報を格納して、画情報を送信するファクシミリ装置から中継通信を受信すると画情報を送信するファクシミリ装置が指定した中継ボックスに対応させて画情報を送信するファクシミリ装置から受信した画情報を一旦格納して、中継ボックスから画情報を読み出して転送先のファクシミリ装置に転送するファクシミリ通信制御方法において、
上記画情報を送信するファクシミリ装置は、画情報を上記画情報を受信するファクシミリ装置内に備えられた複数の親展ボックスあるいは複数の中継ボックスに送信する際に、画情報を送信するファクシミリ装置と通信中の上記受信する側のファクシミリ装置が持つ画情報を格納させたい上記親展ボックスあるいは上記中継ボックスを複数指定する信号を上記画情報を受信する側のファクシミリ装置に送信し、
上記画情報を１回上記画情報を受信する側のファクシミリ装置に対して送信し、
上記画情報を受信するファクシミリ装置は、上記画情報を送信するファクシミリ装置から画情報と該画情報を格納したい親展ボックスを複数指定する信号を受信すると、該当する複数の親展ボックスに対応させて送信された画情報を各々記憶し、上記画情報を送信するファクシミリ装置から画情報と該画情報を格納したい中継ボックスを複数指定する信号を受信すると、該当する複数の中継ボックスに対応させて送信された画情報を各々記憶することを特徴とするファクシミリ通信制御方法。
【発明の詳細な説明】
【０００１】
【発明の属する技術分野】
本発明は、親展通信機能又は中継機能を有する、あるいは親展通信機能と中継機能の両方の機能を有するファクシミリ装置のファクシミリ通信システム及びファクシミリ通信制御方法に関する。
【０００２】
【従来の技術】
従来、ファクシミリ装置においては、伝送制御手順の一つとして、複雑な運用手順を、発呼局側と被呼局（中継局）側とで相互に確認するために、デ−タ伝送用に開発されたハイレベルデ−タリンク制御（以下ＨＤＬＣとする）のフレ−ム構成を用いたものがある。そして、この信号方式はバイナリ制御手順と呼ばれている。そして、以下に示すファクシミリ装置は、上記バイナリ制御手順を用いたファクシミリ装置とする。
【０００３】
ファクシミリ装置においては、特定の人間以外には送信されてきた情報を見せないために、被呼局が、受信した画情報を記憶部内の親展ボックスに格納し、該格納した画情報を、パスワードの入力により記録紙に印刷して排出する親展通信機能や、発呼局から中継局が受信した画情報を記憶部内の中継ボックスに一旦格納し、該受信した画情報を他のファクシミリ装置に転送する中継通信機能を備えたものがある。
更に親展通信機能と中継通信機能の両方を備えたファクシミリ装置がある。
【０００４】
【発明が解決しようとする課題】
上記ファクシミリ装置においては、ファクシミリ装置の複数の親展ボックスあるいは中継ボックスに画情報を送信する場合に、それぞれの親展ボックスあるいは中継ボックスに個別に画情報を送信する必要があった。そのため、同一の画情報を被呼局の複数の親展ボックスあるいは複数の中継ボックスに送信する場合に、発呼局はそれぞれの親展ボックス毎にあるいは中継ボックス毎に送りたい画情報を送信する必要があった。例えば２つの親展ボックスに同一の画情報を送信する場合には、同じ画情報を２度発呼局から被呼局に送信する必要があった。その結果、通信時間が長くなり、その分通信料金も高くなるといった問題点があった。
【０００５】
また、発呼局から同一の画情報が被呼局の複数の親展ボックスあるいは複数の中継ボックスに送信されてくる場合であっても、被呼局は格納する親展ボックスあるいは中継ボックスの数分同じ画情報を受信するので、通信時間が増大するといった問題点があった。
【０００６】
【課題を解決するための手段】
上記課題を解決するために本発明で設けた解決手段は、親展通信を指定して画情報を送信する発呼局側のファクシミリ装置と、ボックス毎にボックス番号が付与された親展ボックスを備え、発呼局から受信した画情報を発呼局が指定したボックス番号の親展ボックスに格納する被呼局側のファクシミリ装置とから構成されるファクシミリ通信システムにおいて、上記発呼局は同一の画情報を上記被呼局内に備えられたの複数の親展ボックスに送信する際に、画情報を送信する前に、上記複数の親展ボックスから送信する画情報を格納する上記親展ボックスのボックス番号を複数指定する信号を作成し上記発呼局が通信中の上記被呼局が持つ親展ボックスを複数指定する信号を上記被呼局に送信し、その後上記画情報を１回上記被呼局に対して送信し、上記被呼局は、上記発呼局から上記画情報を受信すると、該画情報に識別情報を付与すると共に、上記親展ボックスを、上記指定されたボックス番号に対応させて上記識別情報を格納する第１の記憶部と、受信した上記画情報を上記識別情報別に格納する第２の記憶部とから構成し、上記被呼局は、上記発呼局から送信された上記ボックス番号を複数指定する信号を受信すると該信号から上記指定されたボックス番号を認識し、上記発呼局から上記画情報を受信すると、該画情報に上記識別情報を付与し、複数の親展ボックスから該当するボックス番号に対応させて上記第１の記憶部に格納すると共に、上記識別情報を付与した画情報を上記識別情報毎に上記第２の記憶部に格納するものである。
また、発呼局側のファクシミリ装置から親展通信を指定して画情報を送信し、被呼局側のファクシミリ装置で発呼局から受信した画情報を発呼局が指定した親展ボックスに対応させて格納するファクシミリ通信制御方法において、上記発呼局は画情報を上記被呼局内に備えられた複数の親展ボックスに送信する際に、上記複数の親展ボックスから送信する画情報を格納する上記複数の親展ボックスを複数指定する信号を作成して上記発呼局が通信中の上記被呼局が持つ親展ボックスを複数指定する信号を上記被呼局に送信し、上記画情報を１回上記被呼局に対して送信し、上記被呼局は、上記発呼局から送信された親展ボックスの複数指定の信号を受信すると、複数の親展ボックスから該当する親展ボックスに対応させて送信された画情報を各々記憶することを特徴とするファクシミリ通信制御方法である。
【０００７】
上記構成によれば、発呼局から被呼局の複数の親展ボックスに画情報を送信する際には、発呼局が格納させたい複数の親展ボックスを指定する信号を発呼局と通信中の被呼局に送信する。そして画情報を１回被呼局に対して送信する。従って、発呼局から複数の親展ボックスに画情報を送信する場合には、画情報の送信は１回で済む。
【０００８】
一方、被呼局は発呼局から親展ボックスを指定する信号を受信すると該信号から上記指定された親展ボックスを認識し、上記発呼局から上記画情報を受信すると、指定された複数の親展ボックスに対応させて受信した画情報を各々格納する。
【０００９】
【発明の実施の形態】
以下、本発明の実施の形態を図面に従って説明する。なお、各図面に共通な要素には同一の符号を付す。
【００１０】
第１の実施の形態
本実施の形態に示すファクシミリ装置は、伝送制御手段として勧告Ｔ．３０のハイレベルデータリンク制御（以下ＨＤＬＣとする）のフレーム構成を用いているものとする。なお、この信号方式はバイナリ制御手段と呼ばれている。
図１は第１の実施の形態の発呼局と被呼局のファクシミリ装置の構成を示す説明図、図２は第１の実施の形態の親展管理テーブルの構成を示す説明図、図３は第１の実施の形態の画情報管理テーブルの構成を示す説明図、図４は第１の実施の形態のＳＵＢ信号の内容を示す説明図、図５は第１の実施の形態のＨＤＬＣフレームの構成を示す説明図である。なお、図１において発呼局側の各要素に「ａ」を付し、被呼局側の各要素に「ｂ」を付してそれぞれ区別する。
【００１１】
また本実施の形態に示す発呼局と被呼局のファクシミリ装置は親展通信機能を備えたファクシミリ装置とする。
【００１２】
図１において、１点鎖線で示すファクシミリ装置１には、図示せぬ媒体上の情報を読み取り、画情報とする読み取り部２と、オペレ−タにより、電話番号の登録操作、送信操作／親展通信等の指示操作や、モ−ド等の機能設定が行われるときに操作される操作部３と、該操作部３の操作中の状態や通信結果／通信記録等の表示を行う表示部４と、受信した画情報を印刷する印刷部５と、回線の接続制御等の通信制御を行う通信制御部６とが設けられている。なお該通信制御部６は他のファクシミリ装置と接続されている通信回線７と接続されている。またファクシミリ装置１には、ファクシミリ装置１全体を制御する制御部８が設けられている。
【００１３】
上記制御部８は、マイクロプロセッサ（以下ＭＰＵとする）９と、半導体メモリ等の主メモリ１０とを備える。主メモリ１０には、プログラム格納領域１１、第１の記憶部である親展管理テーブル１２、ＳＵＢフレーム送受信手段１３、第２の記憶部である画情報管理テーブル１４とが設けられている。そしてＭＰＵ９は主メモリ１０のプログラム格納領域１１に格納されたプログラムを実行することにより、通信制御、親展送信制御等を実行する。
【００１４】
第１の記憶部である親展管理テーブル１２は図２に示す構成となっており、ボックス番号毎に発呼局１ａから受信した画情報に付与された識別情報（例えば「文書１」）を格納する。すなわち、被呼局のファクシミリ装置（以下被呼局とする）１ｂが発呼局のファクシミリ装置（以下発呼局とする）１ａから画情報を受信すると自動的に、ＭＰＵ９ｂが受信した画情報に識別情報を付与し、該識別情報を指定されたボックス番号に対応させて親展管理テーブル１２に格納する。なお、同一の画情報には同じ名称が付与される。第２の記憶部である画情報管理テーブル１４は図３に示す構成となっており、受信した画情報を、識別情報毎にその情報内容を格納する。そして、例えば親展ボックス１００に格納されている画情報を印刷したい場合には、ＭＰＵ９が図３に示す画情報管理テーブル１４の文書１に格納されている画情報を読み出し、印刷部５で印刷する。なお、上記親展管理テーブル１２と画情報管理テーブル１４とで親展ボックスが構成される。
【００１５】
ＳＵＢフレーム送受信手段１３は、発呼局の場合には図４に示すように、これから送信する画情報を格納するための全ての親展ボックスのボックス番号をＳＵＢ信号として送信できるように編集すると共に、被呼局の場合には受信したＳＵＢ信号を解析し、これから受信する画情報を格納する親展ボックスのボックス番号を認識して特定する。
【００１６】
次にＨＤＬＣフレ−ムの構成について説明する。
図５において、ＨＤＬＣフレームはフレ−ムの開始、終了を示し、フレ−ム同期を確立するフラグフィ−ルド１５ａ、１５ｂと、アドレス情報を伝送するアドレスフィ−ルド１６と、フレ−ムの機能を識別する制御フィ−ルド１７と、制御信号の機能を識別するファクシミリ制御フィ−ルド１８と、端末の持つ機能情報等を伝送するファクシミリ情報フィ−ルド１９と、ＡからＦＩＦまたはＦＣＦまでの伝送誤りの有無を検出するフレ−ムチェックシ−ケンス２０の各要素から構成されている。そしてこのファクシミリ制御フィールド１８にＳＵＢ信号が格納される。
【００１７】
次に、発呼局１ａで読み取った情報を、親展通信として被呼局１ｂに送信するときの、発呼局１ａと被呼局１ｂとの信号のやりとりについて図６に従って説明する。図６は第１の実施の形態の発呼送信の信号方式を示す説明図である。なお、以下に示すＴＣＦ信号及び画情報以外の全ての信号は、制御信号である。
【００１８】
まず発呼局１ａのオペレータが被呼局１ｂの電話番号と親展通信を行いたいことを操作部３ａから入力する。またそのとき、被呼局１ｂの格納したい親展ボックスのボックス番号を入力する。そしてそれと共に送信したい情報が記載された原稿を発呼局１ａに読み取らせる。
【００１９】
なお、親展ボックスのボックス番号が入力されたことをＭＰＵ９ａが認識すると、ＳＵＢフレーム送受信手段１３ａにより、入力されたボックス番号を、ＳＵＢ信号として送信できる信号に編集する。
【００２０】
そして、発呼局１ａは図示せぬ交換機に対して発呼番号を送信する。すると交換機は被呼局１ｂに対してリングト−ンを送信し、それにより、発呼局１ａと被呼局１ｂとが接続される。すると、被呼局１ｂから発呼局１ａに対して、ＣＥＤ信号（被呼局識別信号）が送信されると共に、ＣＳＩ信号（被呼端末識別信号）及びＤＩＳ信号（ディジタル制御信号）が送信され、被呼局１ｂの能力が発呼局１ａに送信される。そのＤＩＳ信号を受けて、発呼局１ａのＭＰＵ９ａは操作部３ａからの入力に基づき、ＳＵＢ信号に編集されたボックス番号を被呼局１ｂに対して送信すると共に、ＤＣＳ信号（ディジタル命令信号）を被呼局１ｂに対して送信し、設定される機能を宣言する。被呼局１ｂのＭＰＵ９ｂはＳＵＢ信号を受信すると、ＳＵＢフレーム送受信手段１３ｂによりＳＵＢ信号の解析を行い、指定されたボックス番号を認識する。
【００２１】
次に、発呼局１ａは、被呼局１ｂに対してＴＣＦ信号（トレ−ニングチェック）を送信し、モデムスピ−ドのトレ−ニングを確認する。このＴＣＦ信号を受けて、被呼局１ｂでは、ＣＦＲ信号（受信準備確認信号）を送信し、メッセ−ジ開始を宣言する。すると、発呼局１ａでは、画情報に変換された、読み取った情報を被呼局１ｂに送信し始め、被呼局１ｂは１ページ分の画情報を受信する。このとき被呼局１ｂのＭＰＵ９ｂは上記ＳＵＢ信号を受信したときにどのボックス番号宛に画情報が送信されたくるのか認識しているので、該当するボックス番号に対応するように受信した画情報を格納する。
【００２２】
例えば親展ボックス１００と親展ボックス２００に画情報を格納することがＳＵＢ信号により送信されてきたならば、被呼局１ｂが画情報を受信したときに、ＭＰＵ９ｂが受信した画情報に識別情報を付与する。この場合「文章１」とする。そして、ＭＰＵ９ｂは図２に示す親展管理テーブル１２ｂの親展ボックス１００と親展ボックス２００の識別情報として「文章１」を格納する。またそれと共に、図３に示す画情報管理テーブル１４に識別情報「文章１」を付与した画情報を格納する。
【００２３】
一方、発呼局１ａは１ペ−ジ分の画情報をすべて送信すると、そのペ−ジで送信が終了することを示すＥＯＰ信号（手順終了信号）を被呼局１ｂに送信する。被呼局１ｂは、ＥＯＰ信号を受信すると、発呼局１ａに対して、ＭＣＦ信号（メッセ−ジ確認信号）を送信し、そのペ−ジの受信が終了したことを宣言する。発呼局１ａはＭＣＦ信号を受信すると、ＤＣＮ信号（切断命令信号）を被呼局１ｂに対して送信する。以上の各制御信号等のやりとりにより、発呼局１ａから被呼局１ｂへ、読み取り部２で読み取られた原稿上の情報が送信される。
【００２４】
次に、被呼局１ｂのオペレータが親展ボックス１００に格納されている画情報を印刷させる場合には、オペレータがパスワードを操作部３ｂから入力する。すると、ＭＰＵ９ｂが親展管理テーブル１２ｂから親展ボックス１００に対応する画情報に付された識別情報を読み出す。そして画情報管理テーブル１４ｂを参照し、読み出した識別情報、この場合「文章１」に対応する画情報を読み出し、印刷部５で印刷する。
【００２５】
以上第１の実施の形態によれば、送信する画情報が同じであれば、複数の親展ボックスへの画情報の送信が１回で可能となり、通信時間を短くすることができる。その結果、発呼局の通信料金を軽減することが可能となる。また、被呼局１ｂにおいても、通信時間を短縮することができる。
【００２６】
なお、上記第１の実施の形態においては、被呼局を１局としたが、送信する画情報が同じであれば、複数の被呼局の親展ボックスに１回の送信で画情報を送信することが可能である。
【００２７】
第２の実施の形態
次に本発明の第２の実施の形態について説明する。なお、上記第１の実施の形態と同様の箇所には同一符号を付して説明は省略する。
図７は第２の実施の形態の発呼局と中継局のファクシミリ装置の構成を示す説明図、図８は第２の実施の形態の中継管理テーブルの構成を示す説明図、図９は第２の実施の形態の画情報管理テーブルの構成を示す説明図、図１０は第２の実施の形態のＳＵＢ信号の内容を示す説明図である。なお、図７において発呼局側の各要素に「ａ」を付し、中継局の各要素に「ｃ」を付してそれぞれ区別する。
【００２８】
また本実施の形態に示す発呼局と中継局のファクシミリ装置は中継通信機能を備えたファクシミリ装置とし、発呼局から送信された画情報は中継局のファクシミリ装置を介して転送局に送信される。
【００２９】
図７において、１点鎖線で示す第２の実施の形態のファクシミリ装置１には、第１の記憶部である中継管理テーブル２１と、ＳＵＢフレーム送受信手段２２と、第２の記憶部である画情報管理テーブル２３とが設けられている。
【００３０】
また、操作部３ａから中継通信の指示が入力され、プログラム格納領域１１には、中継送信制御が格納されている。
【００３１】
更に、中継局のファクシミリ装置（以下中継局とする）１ｃは、通信回線７ｃにより転送先である転送局のファクシミリ装置（以下転送局とする）１ｄと接続されている。
【００３２】
第１の記憶部である中継管理テーブル２１は図８に示す構成となっており、ボックス番号毎に発呼局１ａから受信した画情報に付与された識別情報（例えば「文書１」）と、転送先である転送局１ｄの電話番号とを格納する。すなわち、中継局１ｃ側のファクシミリ装置が発呼局１ａ側から画情報を受信すると自動的に、ＭＰＵ９ｃが受信した画情報に識別情報を付与し、該識別情報を指定されたボックス番号に対応させて中継管理テーブル２１に格納する。なお、同一の画情報には同じ名称が付与される。第２の記憶部である画情報管理テーブル１４は図９に示す構成となっており、受信した画情報を、識別情報毎にその情報内容を格納する。そして、例えば中継ボックス５００に格納されている画情報を印刷したい場合には、ＭＰＵ９が図９に示す画情報管理テーブル１４の文書１に格納されている画情報を読み出し、印刷部５で印刷する。なお、上記中継管理テーブル２１と画情報管理テーブル１４とで中継ボックスが構成される。
【００３３】
ＳＵＢフレーム送受信手段２２は、発呼局の場合には図１０に示すように、これから送信する画情報を格納するための全ての中継ボックスのボックス番号をＳＵＢ信号として送信できるように編集すると共に、中継局の場合には受信したＳＵＢ信号を解析し、これから受信する画情報を格納する中継ボックスのボックス番号を認識して特定する。
【００３４】
次に、発呼局１ａで読み取った情報を、中継通信として中継局１ｃに送信するときの、発呼局１ａと中継局１ｃとの信号のやりとりについて図６に従って説明する。
【００３５】
まず発呼局１ａのオペレータが中継局１ｃの電話番号と中継通信を行いたいことを入力する。またそのとき、中継局１ｃの格納したい中継ボックスのボックス番号を操作部３ａから入力する。そしてそれと共に送信したい情報が記載された原稿を発呼局１ａに読み取らせる。
【００３６】
なお、中継ボックスのボックス番号が入力されたことをＭＰＵ９ａが認識すると、ＳＵＢフレーム送受信手段２２ａにより、入力されたボックス番号を、ＳＵＢ信号として送信できる信号に編集する。
【００３７】
そして、発呼局１ａは図示せぬ交換機に対して発呼番号を送信する。すると交換機は中継局１ｃに対してリングト−ンを送信し、それにより、発呼局１ａと中継局１ｃとが接続される。すると、中継局１ｃから発呼局１ａに対して、ＣＥＤ信号（被呼局識別信号）が送信されると共に、ＣＳＩ信号（被呼端末識別信号）及びＤＩＳ信号（ディジタル制御信号）が送信され、中継局１ｃの能力が発呼局１ａに送信される。そのＤＩＳ信号を受けて、発呼局１ａのＭＰＵ９ａは操作部３ａからの入力に基づき、ＳＵＢ信号に編集された中継ボックスの番号を中継局１ｃに対して送信すると共に、ＤＣＳ信号（ディジタル命令信号）を中継局１ｃに対して送信し、設定される機能を宣言する。中継局１ｃのＭＰＵ９ｃはＳＵＢ信号を受信すると、ＳＵＢフレーム送受信手段２２ｃによりＳＵＢ信号の解析を行い、指定されたボックス番号を認識する。
【００３８】
次に、発呼局１ａは、中継局１ｃに対してＴＣＦ信号（トレ−ニングチェック）を送信し、モデムスピ−ドのトレ−ニングを確認する。このＴＣＦ信号を受けて、中継局１ｃでは、ＣＦＲ信号（受信準備確認信号）を送信し、メッセ−ジ開始を宣言する。すると、発呼局１ａでは、画情報に変換された、読み取った情報を中継局１ｃに送信し始め、中継局１ｃは１ページ分の画情報を受信する。このとき中継局１ｃのＭＰＵ９ｃは上記ＳＵＢ信号を受信したときにどのボックス番号宛に画情報が送信されてくるのか認識しているので、該当するボックス番号に対応するように受信した画情報を格納する。
【００３９】
例えば中継ボックス５００と中継ボックス６００に画情報を格納することがＳＵＢ信号により送信されてきたならば、中継局１ｃが画情報を受信したときに、ＭＰＵ９ｃが受信した画情報に識別情報を付与する。この場合「文章１」とする。そして、ＭＰＵ９ｃは図８に示す中継管理テーブル２３ｃの中継ボックス５００と中継ボックス６００の識別情報として「文章１」を格納する。またそれと共に、図１０に示す画情報管理テーブル２３に識別情報「文章１」を付与した画情報を格納する。
【００４０】
一方、発呼局１ａは１ペ−ジ分の画情報をすべて送信すると、そのペ−ジで送信が終了することを示すＥＯＰ信号（手順終了信号）を中継局１ｃに送信する。中継局１ｃは、ＥＯＰ信号を受信すると、発呼局１ａに対して、ＭＣＦ信号（メッセ−ジ確認信号）を送信し、そのペ−ジの受信が終了したことを宣言する。発呼局１ａはＭＣＦ信号を受信すると、ＤＣＮ信号（切断命令信号）を中継局１ｃに対して送信する。以上の各制御信号等のやりとりにより、発呼局１ａから中継局１ｃへ、読み取り部２で読み取られた原稿上の情報が送信される。
【００４１】
次に、中継局１ｃのＭＰＵ９ｃは、中継ボックス５００に格納されている画情報を転送先である転送局１ｄに送信するために、中継管理テーブル２１ｃから中継ボックス５００に対応する電話番号と画情報に付された識別情報とを読み出す。そして読み出した電話番号の転送先に対して発呼動作を開始する。またそれと共に画情報管理テーブル２３ｃを参照し、読み出した識別情報、この場合「文章１」に対応する画情報を読み出し、転送局１ｄへ送信する。また、中継ボックス６００においても、同様に画情報が読み出され、該当する転送局へ画情報が送信される。
【００４２】
以上第２の実施の形態においても、送信する画情報が同じであれば、複数の中継ボックスへの画情報の送信が１回で可能となり、発呼局の通信時間を短くすることができる。その結果、通信料金を軽減することが可能となる。また、中継局１ｃにおいても、通信時間を短縮することができる。
【００４３】
第３の実施の形態
次に本発明の第３の実施の形態について説明する。なお、上記第１、第２の実施の形態と同様の箇所には同一符号を付して説明は省略する。
図１１は第３の実施の形態の発呼局と中継局のファクシミリ装置の構成を示す説明図、図１２は第３の実施の形態のボックス情報管理テーブルを示す説明図、図１３は第３の実施の形態の画情報管理テーブルの構成を示す説明図である。なお、図１１において発呼局側の各要素に「ａ」を付し、中継局側の各要素に「ｃ」を付してそれぞれ区別する。
【００４４】
また本実施の形態に示す発呼局と中継局のファクシミリ装置は親展通信機能と中継通信機能の両方の機能を備えたファクシミリ装置とする。
【００４５】
図１１において、１点鎖線で示す第３の実施の形態のファクシミリ装置１には、第１の記憶部であるボックス情報管理テーブル２４と、種別解析手段２５と、ＳＵＢフレーム送受信手段２６と、第２の記憶部である画情報管理テーブル２７とが設けられている。
【００４６】
また、操作部３ａから親展通信及び中継通信の指示が入力され、プログラム格納領域１１には、親展送信制御及び中継送信制御が格納されている。
【００４７】
第１の記憶部であるボックス情報管理テーブル２４は図１２に示す構成となっており、ボックス番号毎にボックスを親展用として利用しているのか、あるいは中継用として利用しているのか、あるいは未設定なのかを示す種別と、親展用として利用している場合にはパスワードであり、中継用として利用している場合には転送先である転送局１ｄの電話番号と、発呼局１ａから受信した画情報に付与された識別情報（例えば「文書１」）とを格納する。なお、どのボックス番号を親展ボックスとして利用するか、あるいは中継ボックスとして利用するかはオペレータにより決定される。
【００４８】
すなわち、中継局１ｃ側のファクシミリ装置が発呼局１ａ側から画情報を受信すると自動的に、ＭＰＵ９ｃが受信した画情報に識別情報を付与し、該識別情報を指定されたボックス番号に対応させてボックス情報管理テーブル２４に格納する。なお、同一の画情報には同じ名称が付与される。第２の記憶部である画情報管理テーブル２７は図１３に示す構成となっており、受信した画情報を、識別情報毎にその情報内容を格納する。そして、例えば親展ボックス１００に格納されている画情報を印刷したい場合には、ＭＰＵ９が図１３に示す画情報管理テーブル２７の文書１に格納されている画情報を読み出し、印刷部５で印刷する。なお、上記ボックス情報管理テーブル２４と画情報管理テーブル２７とで親展ボックスあるいは中継ボックスが構成される。
【００４９】
種別解析手段２５は、ボックス番号を元に受信した画情報の通信の種別を決定する。
【００５０】
ＳＵＢフレーム送受信手段２６は、発呼局の場合には、これから送信する画情報を格納するための全ての親展ボックスあるいは全ての中継ボックスのボックス番号をＳＵＢ信号として送信できるように編集すると共に、中継局の場合には受信したＳＵＢ信号を解析し、これから受信する画情報を格納するボックス番号を認識して特定する。
【００５１】
このように本第３の実施の形態においては、同じ通信手段を用いて異なる機能を使いわけることができる。
【００５２】
次に、発呼局１ａで読み取った情報を、親展通信として中継局１ｃに送信するときの、発呼局１ａと中継局１ｃとの信号のやりとりについて図６に従って説明する。
【００５３】
まず発呼局１ａのオペレータが中継局１ｃの電話番号と親展通信を行いたいことを操作部３ａから入力する。またそのとき、中継局１ｃの格納したい中継ボックスのボックス番号を入力する。そしてそれと共に送信したい情報が記載された原稿を発呼局１ａに読み取らせる。
【００５４】
なお、中継ボックスのボックス番号が入力されたことをＭＰＵ９ａが認識すると、ＳＵＢフレーム送受信手段２２ａにより、入力されたボックス番号を、ＳＵＢ信号として送信できる信号に編集する。
【００５５】
そして、発呼局１ａは図示せぬ交換機に対して発呼番号を送信する。すると交換機は中継局１ｃに対してリングト−ンを送信し、それにより、発呼局１ａと中継局１ｃとが接続される。すると、中継局１ｃから発呼局１ａに対して、ＣＥＤ信号（被呼局識別信号）が送信されると共に、ＣＳＩ信号（被呼端末識別信号）及びＤＩＳ信号（ディジタル制御信号）が送信され、中継局１ｃの能力が発呼局１ａに送信される。そのＤＩＳ信号を受けて、発呼局１ａのＭＰＵ９ａは操作部３ａからの入力に基づき、ＳＵＢ信号に編集されたボックス番号を中継局１ｃに対して送信すると共に、ＤＣＳ信号（ディジタル命令信号）を中継局１ｃに対して送信し、設定される機能を宣言する。中継局１ｃのＭＰＵ９ｃはＳＵＢ信号を受信すると、ＳＵＢフレーム送受信手段２２ｃによりＳＵＢ信号の解析を行い、指定されたボックス番号を認識する。
【００５６】
次に、発呼局１ａは、中継局１ｃに対してＴＣＦ信号（トレ−ニングチェック）を送信し、モデムスピ−ドのトレ−ニングを確認する。このＴＣＦ信号を受けて、中継局１ｃでは、ＣＦＲ信号（受信準備確認信号）を送信し、メッセ−ジ開始を宣言する。すると、発呼局１ａでは、画情報に変換された、読み取った情報を中継局１ｃに送信し始め、中継局１ｃは１ページ分の画情報を受信する。このとき中継局１ｃのＭＰＵ９ｃは上記ＳＵＢ信号を受信したときにどのボックス番号宛に画情報が送信されてきたのか認識しているので、該当するボックス番号に対応するように受信した画情報を格納する。
【００５７】
例えば親展ボックス１００と親展ボックス２００に画情報を格納することがＳＵＢ信号により送信されてきたならば、中継局１ｃが画情報を受信したときに、ＭＰＵ９ｃが受信した画情報に識別情報を付与する。この場合「文章１」とする。そして、図８に示すボックス情報管理テーブル２３ｃの親展ボックス１００と親展ボックス２００の識別情報として「文章１」を格納する。またそれと共に、図１３に示す画情報管理テーブル２３に識別情報「文章１」を付与した画情報を格納する。
【００５８】
一方、発呼局１ａは１ペ−ジ分の画情報をすべて送信すると、そのペ−ジで送信が終了することを示すＥＯＰ信号（手順終了信号）を中継局１ｃに送信する。中継局１ｃは、ＥＯＰ信号を受信すると、発呼局１ａに対して、ＭＣＦ信号（メッセ−ジ確認信号）を送信し、そのペ−ジの受信が終了したことを宣言する。発呼局１ａはＭＣＦ信号を受信すると、ＤＣＮ信号（切断命令信号）を中継局１ｃに対して送信する。以上の各制御信号等のやりとりにより、発呼局１ａから中継局１ｃへ、読み取り部２で読み取られた原稿上の情報が送信される。
【００５９】
画情報を受信すると、種別解析手段２５ｃはボックス情報管理テーブル２４ｃの各ボックスに付与された種別から、画情報を親展通信として扱うことを認識する。
【００６０】
次に、中継局１ｃのオペレータが親展ボックス１００に格納されている画情報を印刷させる場合には、オペレータがパスワードを操作部３ｃから入力する。すると、ＭＰＵ９ｃがボックス情報管理テーブル２４ｃから親展ボックス１００に対応する画情報に付された識別情報を読み出す。そして画情報管理テーブル２７ｃを参照し、読み出した識別情報、この場合「文章１」に対応する画情報を読み出し、印刷部５で印刷する。
【００６１】
以上第３の実施の形態においては、上記第１及び第２の実施の形態と同様の効果を奏すると共に、同一の手順で異なる機能（親展通信機能と中継通信機能）を実現することが可能となる。
【００６２】
なお、上記第１から第３の実施の形態においては、ソフトウェアによって実施する例を示したが、各種管理テーブルをハード的な回路によって実現し、またＳＵＢフレームの内容解析をハード的な手段で行うことも可能である。
【００６３】
【発明の効果】
本発明は、以上説明したように構成されているので以下に記載される効果を奏する。
【００６４】
発呼局は同一の画情報を被呼局内に備えられた複数の親展ボックスに送信する際に、上記複数の親展ボックスから送信する画情報を格納する親展ボックスを複数指定する信号を作成し、上記発呼局が通信中の上記被呼局が持つ親展ボックスを複数指定する信号を上記被呼局に送信し、上記画情報を１回上記被呼局に対して送信し、上記被呼局は、上記発呼局から送信された親展ボックスの複数指定の信号を受信すると、複数の親展ボックスから該当する親展ボックスに送信された上記画情報を各々記憶することにより、送信する複数の親展ボックスへの画情報の送信が１回で可能となり、発呼局の通信時間を短くすることができる。その結果、通信料金を軽減することが可能となる。また被呼局においても、通信時間を短縮することができる。
【図面の簡単な説明】
【図１】第１の実施の形態の発呼局と被呼局のファクシミリ装置の構成を示す説明図である。
【図２】第１の実施の形態の親展管理テーブルの構成を示す説明図である。
【図３】第１の実施の形態の画情報管理テーブルの構成を示す説明図である。
【図４】第１の実施の形態のＳＵＢ信号の内容を示す説明図である。
【図５】第１の実施の形態のＨＤＬＣフレームの構成を示す説明図である。
【図６】第１の実施の形態の発呼送信の信号方式を示す説明図である。
【図７】第２の実施の形態の発呼局と中継局のファクシミリ装置の構成を示す説明図である。
【図８】第２の実施の形態の中継管理テーブルの構成を示す説明図である。
【図９】第２の実施の形態の画情報管理テーブルの構成を示す説明図である。
【図１０】第２の実施の形態のＳＵＢ信号の内容を示す説明図である。
【図１１】第３の実施の形態の発呼局と中継局のファクシミリ装置の構成を示す説明図である。
【図１２】第３の実施の形態のボックス情報管理テーブルを示す説明図である。
【図１３】第３の実施の形態の画情報管理テーブルの構成を示す説明図である。
【符号の説明】
１  ファクシミリ装置
９  マイクロプロセッサ
１２  親展管理テーブル
１３  ＳＵＢフレーム送受信手段
１４  画情報管理テーブル
２１  中継管理テーブル
２２  ＳＵＢフレーム送受信手段
２３  画情報管理テーブル
２４  ボックス情報管理テーブル
２５  種別解析手段
２６  ＳＵＢフレーム送受信手段
２７  画情報管理テーブル
【図１】
0003565726.tif 000002
【図２】
0003565726.tif 000003
【図３】
0003565726.tif 000004
【図４】
0003565726.tif 000005
【図５】
0003565726.tif 000006
【図６】
0003565726.tif 000007
【図７】
0003565726.tif 000008
【図８】
0003565726.tif 000009
【図９】
0003565726.tif 000010
【図１０】
0003565726.tif 000011
【図１１】
0003565726.tif 000012
【図１２】
0003565726.tif 000013
【図１３】
0003565726.tif 000014